(57)【要約】【課題】太陽熱を熱源とするエジェクタ冷媒回路は、負荷条件を満足する熱量提供が困難であり、ＣＯＰも低い。よってエジェクタ冷媒回路と圧縮機を使用する冷媒回路とを併用することで、負荷条件を満足し、効率のよい冷媒回路を提供する。【解決手段】蒸気圧縮式冷媒回路１１０は、圧縮機９、凝縮器２ａ、過冷却器１１、膨張機構５ａ、蒸発器１が、この順に接続され、第１冷媒が循環する。エジェクタ式冷媒回路１２０は、エジェクタ６、凝縮器２ｂ、膨張機構５ｂが、この順に接続され、第２冷媒が循環する。エジェクタ式冷媒回路１２０を循環する第２冷媒は、膨張機構５ｂから液状態で流出して過冷却器１１に流入し、過冷却器１１を通過する蒸気圧縮式冷媒回路１１０の第１冷媒から吸熱して蒸発し、気体状態でエジェクタの吸引口６２に流入し、エジェクタの出口６３から流出して、凝縮器２ｂ、膨張機構５ｂ、過冷却器１１の順に循環する。【選択図】図４
2011133123.tif 000002
【特許請求の範囲】
【請求項１】
圧縮機、第１の放熱器、過冷却器、第１の膨張機構、蒸発器が、これらの順に閉回路状に第１冷媒の循環流路で接続され、第１冷媒がこれらの順に循環する第１の冷媒回路と、
圧縮機を代替するエジェクタ、第２の放熱器、第２の膨張機構が、これらの順に閉回路状に第２冷媒の循環流路で接続され、第２冷媒がこれらの順に循環する第２の冷媒回路と
を備え、
前記第２の冷媒回路を循環する前記第２冷媒は、
前記第２の膨張機構から液状態で流出して前記第１の冷媒回路の前記過冷却器に流入し、前記過冷却器を通過する前記第１の冷媒回路の前記第１冷媒から吸熱して蒸発し、気体状態で前記エジェクタの吸引口に流入し、前記エジェクタの出口から流出して、前記第２の放熱器、前記第２の膨張機構、前記過冷却器の順に循環することを特徴とする冷凍サイクル装置。
【請求項２】
前記第２の冷媒回路の前記エジェクタは、
前記第１の冷媒回路の前記圧縮機により吐出された気体状態の第１冷媒の保有する熱と、前記第１の冷媒回路及び前記第２の冷媒回路とは異なる第３の冷媒回路を循環する第３冷媒の保有する熱との、少なくともいずれかを駆動熱源とすることを特徴とする請求項１記載の冷凍サイクル装置。
【請求項３】
前記第２の冷媒回路は、さらに、
前記第２の放熱器と前記第２の膨張機構との間の分岐部から分岐して前記エジェクタの駆動流体の流入口に接続する分岐流路の途中に、発生器が配置され、
前記圧縮機から吐出された第１冷媒は、
前記発生器に流入して通過した後に前記第１の放熱器に向かい、
前記第２の冷媒回路を循環する第２冷媒は、
前記第２の放熱器から流出し、一部が前記分岐流路に分岐して前記発生器に流入し、前記発生器を通過する第１冷媒から吸熱し、前記分岐経路を介して前記エジェクタの駆動流体の流入口に流入し、前記エジェクタの駆動流体となることを特徴とする請求項２記載の冷凍サイクル装置。
【請求項４】
前記第３の冷媒回路は、
太陽光電熱ハイブリッドパネルと第２発生器とが第３冷媒の循環流路で接続され、前記太陽光電熱ハイブリッドパネルによって加熱された第３冷媒が前記第２発生器を通過する冷媒循環回路であり、
前記第２発生器は、
前記分岐経路において前記エジェクタと前記第１発生器との間に配置され、
前記第１発生器を流出した第２冷媒は、
前記第２発生器で前記第３冷媒から吸熱し、吸熱後に前記エジェクタの駆動流体の流入口に流入することを特徴とする請求項３記載の冷凍サイクル装置。
【請求項５】
前記第２の冷媒回路は、
前記過冷却器と前記エジェクタとの流路の間に熱交換器が配置され、
前記分岐部から前記第２の膨張機構に向かう第２冷媒は、
前記第２の膨張機構に流入する前に前記熱交換器に流入し、前記熱交換器において前記過冷却器から流出して前記エジェクタに向かう第２冷媒に熱を与えた後、前記第２の膨張機構に流入することを特徴とする請求項３または４のいずれかに記載の冷凍サイクル装置。
【請求項６】
前記第３の冷媒回路は、
太陽光電熱ハイブリッドパネルと発生器とが第３冷媒の循環流路で接続され、前記太陽光電熱ハイブリッドパネルによって加熱された第３冷媒が前記発生器を通過する冷媒循環回路であり、
前記発生器は、
前記第２の放熱器と前記第２の膨張機構との間の分岐部から分岐して前記エジェクタの駆動流体の流入口に接続する分岐流路の途中に配置され、
前記分岐経路から分岐した第２冷媒は、
前記発生器で前記第３冷媒から吸熱し、吸熱後に前記エジェクタの駆動流体の流入口に流入することを特徴とする請求項２記載の冷凍サイクル装置。
【発明の詳細な説明】
【技術分野】
【０００１】
本発明は、蒸気圧縮式冷媒回路とエジェクタ式冷媒回路とを組み合わせた複合冷媒回路に関する。
【背景技術】
【０００２】
パネル面積当りのエネルギー利用率を高めて、太陽光発電システムの経済性を向上させることを目的に、従来利用されていなかった熱を回収する集熱パネルを一枚のパネルに複合化した太陽光電熱ハイブリッドパネルが開発されている。この太陽光電熱ハイブリッドパネルからの排熱を駆動熱源とすることで冷凍・空調システムを運転する冷媒回路として、デシカントサイクル、エジェクタ式冷媒回路、吸収式サイクル、吸着サイクル、ケミカルサイクルなどがある。その中でも吸収式サイクルは低温熱源を駆動源とする場合に有効である。しかし、吸収式サイクルを用いたシステムはその構成とメンテナンスが複雑であるため、初期コストや運転コストが高い。一方、エジェクタを使用したサイクルは設置コスト、運転コスト、信頼性などの面でメリットがあるため、従来から検討されてきた（例えば、特許文献１，２）。
【先行技術文献】
【特許文献】
【０００３】
【特許文献１】特開昭６０−１７５９８０号公報
【特許文献２】特開２００１−１９４０２５号公報
【発明の概要】
【発明が解決しようとする課題】
【０００４】
太陽熱からの収集熱を熱源とするエジェクタ式冷媒回路システムは、日射量が変動するため単独システムでは全負荷条件に対して成立するのは困難であるとともに、駆動熱源の温度が低いためＣＯＰ（Ｃｏｅｆｆｉｃｉｅｎｔ  Ｏｆ  Ｐｅｒｆｏｒｍａｎｃｅ）が比較的に低い。しかしながら、上記のエジェクタ式冷媒回路システムは、回路構成が簡単であるため設置コストが安価である点、電気駆動部が少ないため運転コストが安価である点、比較的低い熱源温度で作動可能である点、機械的稼動部分が少ないため信頼性が高い点など、多数の重要なメリットがある。
【０００５】
本発明は、エジェクタ式冷媒回路のメリットを有し、太陽熱を駆動熱源とするエジェクタ式冷媒回路を、通常の蒸気圧縮式冷媒回路と組み合せて複合冷媒回路化することで、冷凍・空調システム全体の年間性能を向上させることを目的とする。
【課題を解決するための手段】
【０００６】
この発明の冷凍サイクル装置は、
圧縮機、第１の放熱器、過冷却器、第１の膨張機構、蒸発器が、これらの順に閉回路状に第１冷媒の循環流路で接続され、第１冷媒がこれらの順に循環する第１の冷媒回路と、
圧縮機を代替するエジェクタ、第２の放熱器、第２の膨張機構が、これらの順に閉回路状に第２冷媒の循環流路で接続され、第２冷媒がこれらの順に循環する第２の冷媒回路と
を備え、
前記第２の冷媒回路を循環する前記第２冷媒は、
前記第２の膨張機構から液状態で流出して前記第１の冷媒回路の前記過冷却器に流入し、前記過冷却器を通過する前記第１の冷媒回路の前記第１冷媒から吸熱して蒸発し、気体状態で前記エジェクタの吸引口に流入し、前記エジェクタの出口から流出して、前記第２の放熱器、前記第２の膨張機構、前記過冷却器の順に循環することを特徴とする。
【発明の効果】
【０００７】
本発明により、エジェクタ式冷媒回路と、通常の蒸気圧縮式冷媒回路とを組み合わせることにより、日射量の変動と関係なく、システムが全条件に対して成立することが可能な、エジェクタ式冷媒回路を用いた冷凍サイクル装置を提供できる。
【図面の簡単な説明】
【０００８】
【図１】実施の形態１における、エジェクタを使用した通常の冷凍サイクルを示す図。
【図２】実施の形態１における、エジェクタの原理を説明する図。
【図３】実施の形態１における、複合冷媒回路のＰ−ｈ線図。
【図４】実施の形態１における、複合冷媒回路１００Ａの回路図。
【図５】実施の形態２の、複合冷媒回路１００Ｂの回路図。
【図６】実施の形態３の、複合冷媒回路１００Ｃの回路図。
【図７】実施の形態４の、複合冷媒回路２００Ｃの回路図。
【発明を実施するための形態】
【０００９】
図１は、太陽熱を熱源とするエジェクタ式冷媒回路を示す図である。図１に示すように、エジェクタ６が、通常の冷媒回路における圧縮機を代替する。エジェクタ６内の圧縮作用は、太陽熱集熱機構（太陽光電熱ハイブリッドパネル７）から提供される熱源により行われる。図１の冷媒回路は、エジェクタ６を、蒸発器１から出たガス冷媒の圧縮手段とする。この冷媒回路では、蒸発器１、エジェクタ６、凝縮器２が順次に接続され、凝縮器２で液となって出た冷媒は分岐部４０で分岐する。分岐後の冷媒の一方は、毛細管、電子弁のような膨張機構５に流入する。膨張機構５により低温低圧となった冷媒は、蒸発器１に戻り外部負荷により加熱されて蒸発する。蒸発したガス冷媒は、エジェクタ吸引口６２から吸引されて昇圧された後、エジェクタ出口６３から流出して再び凝縮器２に流入する。凝縮器２を出た液冷媒の他方は分岐部４０で分岐し、加圧機構であるポンプ４を介して発生器３に流入し、太陽熱を吸熱した作動媒体と発生器３において熱交換されることにより過熱ガス状態となってエジェクタ６の駆動流体の流入口６１に流入する。
【００１０】
（エジェクタ６）
図２は、エジェクタ冷媒回路に使用されるエジェクタの原理図である。図２（ａ）はエジェクタ断面を示し、図２（ｂ）は、各位置ｘ１〜ｘ３、ｘ５における各圧力Ｐ１〜Ｐ３、Ｐ５を示す。エジェクタは高圧の駆動流体を加速させることで吸引流体を加速させた後、駆動流体と吸引流体の混合流体を減速させることにより、高圧流体を低圧の吸引流体の圧縮に利用するデバイスである。エジェクタに流入したガス冷媒（駆動流体）は駆動ノズルで膨張加速し、蒸発器からのガス冷媒を吸引する。また、発生器で冷媒をガス化する熱源は、太陽熱パネル、太陽光電熱ハイブリッドパネルなどの集熱機構から供給する。そのため、太陽熱を吸熱した作動媒体が太陽熱パネルもしくは太陽光電熱ハイブリッドパネルと発生器間を循環するループ流路を設ける。
【００１１】
以下の実施の形態１〜４で説明する複合冷媒回路１００Ａ〜１００Ｃ，２００Ｃは、圧縮機９を圧縮手段とする通常の蒸気圧縮式冷媒回路１１０（第１の冷媒回路）と、エジェクタ６を圧縮手段とするエジェクタ式冷媒回路１２０（第２の冷媒回路）との、循環冷媒の流路が別々となる構成が特徴である。この構成により次の図３の説明で述べる効果がある。
【００１２】
（冷媒について）
以下では、蒸気圧縮式冷媒回路１１０を循環する冷媒を第１冷媒といい、エジェクタ式冷媒回路１２０を循環する冷媒を第２冷媒といい、さらに、後述の図５などの太陽光電熱ハイブリッドパネル、発生器、ポンプからなる循環流路を流れる冷媒を第３冷媒という。
【００１３】
図３は、実施の形態１〜４で説明する複合冷媒回路１００Ａ〜１００Ｃ，２００Ｃにおける冷媒回路のＰ−ｈ線図を示す。従来型の冷媒回路では、凝縮器出口の冷媒の過冷却度が殆んど取れていないサイクル（通常サイクル７１）である。これに対し、実施の形態１〜４で説明する複合冷媒回路では、複合サイクル７２として示すように過冷却度を多くとり、凝縮圧力を低く抑えることが特徴である。凝縮圧力を抑えることにより、蒸発器の出入り口エンタルピ差を増加させることができ、定格の能力を得るのに、冷媒循環量を減らすことができるので、最終的に圧縮機の動力を減らすことが可能となる。
実施の形態１〜４で説明する複合冷媒回路では、圧縮機吐出冷媒ガスの熱、太陽光電熱ハイブリッドパネルからの収集熱を駆動熱源とするエジェクタ式冷媒回路を用い、この過冷却度を得ることにより、冷房負荷の集中する日中に、その場で運転の高効率化を図ることができる。
【００１４】
（エジェクタ６の駆動熱源のタイプ）
実施の形態１〜４で説明する複合冷媒回路は、以下のタイプのいずれかである。すなわち、エジェクタ式冷媒回路１２０のエジェクタ６は、駆動熱源として、
（Ａ）圧縮機吐出冷媒ガスの熱を利用するＡタイプ、
（Ｂ）太陽光電熱ハイブリッドパネルからの収集熱を利用するＢタイプ、
（Ｃ）両方を使用するＣタイプ、
の３つのタイプのうちのいずれかである。実施の形態１はＡタイプを説明し、実施の形態２はＢタイプを説明し、実施の形態３、４はＣタイプを説明する。
【００１５】
（蒸気圧縮式冷媒回路１１０の構成）
実施の形態１〜４で説明する複合冷媒回路における主たる冷媒回路である通常の蒸気圧縮式冷媒回路１１０（第１の冷媒回路）は、後述する図４〜図７に示すように、構成要素として圧縮機９、凝縮器２ａ（第１の放熱器）、過冷却器１１、膨張機構５ａ（第１の膨張機構）、蒸発器１を備える冷媒回路である。蒸気圧縮式冷媒回路１１０は、圧縮機９、凝縮器２ａ、過冷却器１１、膨張機構５ａ、蒸発器１が、これらの順に閉回路状に第１冷媒の循環流路で接続され、第１冷媒がこれらの順に循環する。
【００１６】
（エジェクタ式冷媒回路１２０の構成）
実施の形態１〜４で説明する複合冷媒回路における補助的な冷媒回路であるエジェクタ式冷媒回路１２０（第２の冷媒回路）は、後述する図４〜図７に示すように、圧縮機を代替するエジェクタ６、凝縮器２ｂ（第２の放熱器）、膨張機構５ｂ（第２の膨張機構）、冷媒ポンプ４、凝縮器２ｂを出た液冷媒からガス冷媒を発生させる発生器３、蒸気圧縮式冷媒回路１１０の過冷却器１１との一体型蒸発器等を備える。エジェクタ式冷媒回路１２０は、エジェクタ６、凝縮器２ｂ、膨張機構５ｂが、これらの順に閉回路状に第２冷媒の循環流路で接続され、第２冷媒がこれらの順に循環する。
【００１７】
実施の形態１．
図４は、実施の形態１の複合冷媒回路１００Ａ（Ａタイプ）の回路構成を示す図である。図４を参照して実施の形態１の複合冷媒回路１００Ａを説明する。複合冷媒回路１００Ａ（冷凍サイクル装置）は、圧縮機吐出冷媒ガスの熱を、エジェクタ式冷媒回路１２０（エジェクタ６）の駆動熱源とする回路（Ａタイプ）である。
【００１８】
（蒸気圧縮式冷媒回路１１０の構成）
図４に示すように、蒸気圧縮式冷媒回路１１０では、冷媒が、圧縮機９、発生器３、凝縮器２ａ（第１の放熱器）、過冷却器１１、膨張機構５ａ（第１の膨張機構）、蒸発器１の順で流れる。圧縮機９から吐出された冷媒（第１冷媒）は、発生器３に流入して通過した後に、凝縮器２ａに向かう。
【００１９】
（エジェクタ式冷媒回路１２０の構成）
エジェクタ式冷媒回路１２０では、図４に示すように、凝縮器２ｂと膨張機構５ｂとの間の分岐部４０から分岐してエジェクタ６の駆動流体の流入口６１に接続する分岐流路４１の途中に、発生器３が配置される。
【００２０】
（液冷媒２１）
エジェクタ式冷媒回路１２０では、凝縮器２ｂで液化して流出した液冷媒（第２冷媒）の一方の液冷媒２１は、分岐部４０から分岐流路４１に分岐して加圧機構である冷媒ポンプＰ（４）を介し発生器３に流入し、圧縮機９を出た作動媒体（第１冷媒）から吸熱（熱交換）し、蒸発する。そして、この蒸発によりガス状に相変化した冷媒は、再びエジェクタ６の駆動流体の流入口６１に流入し、エジェクタ６の駆動流体となる。発生器３では、通常の蒸気圧縮式冷媒回路１１０の第１冷媒は、ガス状で冷却される。
【００２１】
（液冷媒２２）
他方の液冷媒２２（第２冷媒）は、毛細管、電子弁のような膨張機構５ｂ（第２の膨張機構）に流入する。膨張機構５ｂにより低温低圧となった液冷媒２２は、エジェクタ式冷媒回路１２０の蒸発熱を用いて凝縮器２ａ出口の液冷媒の過冷却度を増加させるために設けられた蒸気圧縮式冷媒回路１１０の過冷却器１１に流入し、熱交換して蒸発した後、エジェクタ６に吸引される。すなわち、他方の液冷媒２２は、膨張機構５ｂから液状態で流出して過冷却器１１に流入し、過冷却器１１を通過する蒸気圧縮式冷媒回路１１０の第１冷媒から吸熱して蒸発し、気体状態でエジェクタ吸引口６２に流入し、エジェクタ出口６３から流出して、凝縮器２ｂ、膨張機構５ｂ、過冷却器１１の順に循環する。
【００２２】
以上のように、複合冷媒回路１００Ａは、圧縮機吐出冷媒ガスの熱をエジェクタ６の駆動熱源とするエジェクタ式冷媒回路１２０と、通常の蒸気圧縮式冷媒回路１１０とを組み合わせた。よって、日射量の変動と関係なく、システムが全条件に対して成立する冷凍サイクル装置を提供できる。また、エジェクタ式冷媒回路１２０を循環する第２冷媒と蒸気圧縮式冷媒回路１１０を循環する第１冷媒とを過冷却器１１で熱交換させ、第１冷媒を過冷却するので、図３の説明で述べた効果を得ることができる。
【００２３】
実施の形態２．
次に実施の形態２の複合冷媒回路１００Ｂを説明する。図５は、複合冷媒回路１００Ｂの回路構成を示す図である。複合冷媒回路１００Ｂは、補助冷媒回路であるエジェクタ式冷媒回路１２０（エジェクタ６）の駆動熱源として、太陽光電熱ハイブリッドパネル７からの収集熱を使用するタイプ（Ｂタイプ）である。
【００２４】
（蒸気圧縮式冷媒回路１１０）
図５に示すように、通常の蒸気圧縮式冷媒回路１１０では、第１冷媒が、圧縮機９、凝縮器２ａ、過冷却器１１、膨張機構５ａ、蒸発器１の順で流れる。
【００２５】
（第３の冷媒回路）
複合冷媒回路１００Ｂでは、第３の冷媒回路として、太陽光電熱ハイブリッドパネル７と発生器３とが第３冷媒の循環流路で接続され、太陽光電熱ハイブリッドパネル７によって加熱された第３冷媒が発生器３を通過する。
【００２６】
（エジェクタ式冷媒回路１２０）
エジェクタ式冷媒回路１２０では、発生器３が、凝縮器２ｂと膨張機構５ｂとの間の分岐部４０から分岐してエジェクタ６の駆動流体の流入口６１に接続する分岐流路４１の途中に配置されている。
【００２７】
（液冷媒３１）
凝縮器２ｂで液化して流出した液冷媒（第２冷媒）の一方の液冷媒３１は、分岐部４０から分岐流路４１に分岐して加圧機構である冷媒ポンプＰ（４）を介し発生器３に流入し、太陽光電熱ハイブリッドパネル７から集熱した作動媒体（第３冷媒）と熱交換（吸熱）し、蒸発する。蒸発によりガス状に相変化した第２冷媒は、再びエジェクタ６の駆動流体の流入口６１に流入する。
【００２８】
（液冷媒３２）
凝縮器２ｂで液化して流出した液冷媒のうち、分岐部４０で分岐した他方の液冷媒３２は、毛細管、電子弁のような膨張機構５ｂに流入する。膨張機構５ｂにより低温低圧となった液冷媒３２は、エジェクタ式冷媒回路１２０の蒸発熱を用いて凝縮器２ａ出口の液冷媒の過冷却度を増加させるために設けられた蒸気圧縮式冷媒回路１１０の過冷却器１１に流入し、熱交換して蒸発した後、エジェクタ６に吸引される。すなわち、実施の形態１と同様に、他方の液冷媒３２は、膨張機構５ｂから液状態で流出して過冷却器１１に流入し、過冷却器１１を通過する蒸気圧縮式冷媒回路１１０の第１冷媒から吸熱して蒸発し、気体状態でエジェクタ吸引口６２に流入し、エジェクタ出口６３から流出して、凝縮器２ｂ、膨張機構５ｂ、過冷却器１１の順に循環する。
【００２９】
以上のように、複合冷媒回路１００Ｂは、太陽光電熱ハイブリッドパネル７からの収集熱をエジェクタ６の駆動熱源とするエジェクタ式冷媒回路１２０と、通常の蒸気圧縮式冷媒回路１１０とを組み合わせた。よって、日射量の変動と関係なく、システムが全条件に対して成立する冷凍サイクル装置を提供できる。また、エジェクタ式冷媒回路１２０を循環する第２冷媒と蒸気圧縮式冷媒回路１１０を循環する第１冷媒とを過冷却器１１で熱交換させ、第１冷媒を過冷却するので、図３の説明で述べた効果を得ることができる。
【００３０】
実施の形態３．
次に実施の形態３の複合冷媒回路１００Ｃを説明する。複合冷媒回路１００Ｃは、補助冷媒回路であるエジェクタ式冷媒回路１２０（エジェクタ６）の駆動熱源として、圧縮機吐出冷媒ガス（圧縮機９により圧縮されたガス状の第１冷媒）の熱と、太陽光電熱ハイブリッドパネル７からの収集熱との両方を使用するタイプ（Ｃタイプ）である。
【００３１】
（複合冷媒回路１００Ｃの構成）
図６は、複合冷媒回路１００Ｃの回路構成示す。複合冷媒回路１００Ｃは、実施の形態１の複合冷媒回路１００Ａに、実施の形態２で説明した「第３の冷媒回路」（太陽光電熱ハイブリッドパネル、第２発生器、ポンプからなる冷媒循環回路）を加えた構成である。
【００３２】
図６に示すように、通常の蒸気圧縮式冷媒回路１１０では、複合冷媒回路１００Ａと同様に、第１冷媒が、圧縮機９、第１発生器３ａ、凝縮器２ａ、過冷却器１１、膨張機構５ａ、蒸発器１の順で循環する。
【００３３】
（液冷媒２１）
一方、エジェクタ式冷媒回路１２０では、複合冷媒回路１００Ａと同様に、凝縮器２ｂで液化して出た液冷媒の一方の液冷媒２１は、分岐部４０で分岐して加圧機構である冷媒ポンプＰ（４）を介し第１発生器３ａに流入する。そして、液冷媒２１は、第１発生器３ａにおいて圧縮機９を出た作動媒体と熱交換し温度が上昇（この時点では液体である）する。熱交換により昇温して第１発生器３ａを出た液冷媒２１は、第２発生機器３ｂに流入し、太陽光電熱ハイブリッドパネル７から集熱した作動媒体（第３冷媒）と熱交換して加熱され、蒸発する。蒸発によりガス状に相変化した第２冷媒は、再びエジェクタ６の駆動流体の流入口６１に流入する。
【００３４】
（液冷媒２２）
分岐部４０で分岐した他方の液冷媒２２は、毛細管、電子弁のような膨張機構５ｂに流入する。膨張機構５ｂにより低温低圧となった液冷媒２２は、エジェクタ式冷媒回路の蒸発熱を用いて凝縮器出口の液冷媒の過冷却度を増加させるために設けられた蒸気圧縮式冷媒回路１１０の過冷却器１１に流入し、熱交換して蒸発した後、エジェクタ６のエジェクタ吸引口６２から吸引される。
【００３５】
以上のように、複合冷媒回路１００Ｃは、圧縮機吐出冷媒ガスの熱及び太陽光電熱ハイブリッドパネルからの収集熱との両方の熱をエジェクタ６の駆動熱源とするエジェクタ式冷媒回路１２０と、通常の蒸気圧縮式冷媒回路１１０とを組み合わせた。よって、日射量の変動と関係なく、システムが全条件に対して成立する冷凍サイクル装置を提供できる。また、エジェクタ式冷媒回路１２０を循環する第２冷媒と蒸気圧縮式冷媒回路１１０を循環する第１冷媒とを過冷却器１１で熱交換させ、第１冷媒を過冷却するので、図３の説明で述べた効果を得ることができる。
【００３６】
実施の形態４．
次に実施の形態４の複合冷媒回路２００Ｃを説明する。
図７は、複合冷媒回路２００Ｃの回路構成を示す図である。図７に示すように、複合冷媒回路２００Ｃは、実施の形態３の複合冷媒回路１００Ｃのエジェクタ６と過冷却器１１との間に、内部熱交換器１０を加えた構成である。
【００３７】
（蒸気圧縮式冷媒回路１１０）
通常の蒸気圧縮式冷媒回路１１０では、複合冷媒回路１００Ｃと同様に、第１冷媒が、圧縮機９、第１発生器３ａ、凝縮器２ａ、過冷却器１１、膨張機構５ａ、蒸発器１の順で流れる。
【００３８】
（エジェクタ式冷媒回路１２０）
エジェクタ式冷媒回路１２０では、過冷却器１１とエジェクタ６との流路の間に内部熱交換器１０が配置されている。
【００３９】
（液冷媒２１）
エジェクタ式冷媒回路１２０では、凝縮器２ｂで液化して流出した液冷媒の一方の液冷媒２１は、分岐部４０から分岐流路４１に分岐して加圧機構である冷媒ポンプＰ（４）を介し第１発生器３ａに流入し、圧縮機９を出た作動媒体（第１冷媒）と熱交換（この時点で液体である）し温度が上昇する。この熱交換により昇温して第１発生器３ａを出た液冷媒は、第２発生機器３ｂに流入し太陽光電熱ハイブリッドパネル７から集熱した作動媒体（第３冷媒）と熱交換（吸熱）し、蒸発する。蒸発によりガス状に相変化した冷媒は再びエジェクタ６の駆動流体の流入口６１（駆動ノズル）に流入する。
【００４０】
（液冷媒２２）
凝縮器２ｂで液化して流出し、分岐部４０で分岐した他方の液冷媒２２は、過冷却器１１とエジェクタ６の吸入配管との間に設けられた内部熱交換器１０において、過冷却器１１を出てエジェクタ吸引口６２から吸引されるガス冷媒と熱交換した後、膨張機構５ｂに流入する。この場合、分岐部４０で分岐した液冷媒２２は、内部熱交換器１０において、過冷却器１１から流出してエジェクタ６に向かうガス冷媒に熱を与え、その後、膨張機構５ｂに流入する。このように、内部熱交換器１０は凝縮器２ｂを出た液冷媒２２と、エジェクタ吸引口６２から吸引されるガス冷媒とを熱交換させることにより、サイクルの性能を向上させる。そして、膨張機構５ｂにより低温低圧となった液冷媒２２は、エジェクタ式冷媒回路１２０の蒸発熱を用いて凝縮器出口の液冷媒の過冷却度を増加させるために設けられた蒸気圧縮式冷媒回路１１０の過冷却器１１に流入し、熱交換して蒸発した後、上述の内部熱交換器１０を通過してエジェクタ吸引口６２から吸引される。
【００４１】
以上のように、複合冷媒回路２００Ｃは、圧縮機吐出冷媒ガスの熱及び太陽光電熱ハイブリッドパネルからの収集熱との両方の熱をエジェクタ６の駆動熱源とするエジェクタ式冷媒回路１２０と、通常の蒸気圧縮式冷媒回路１１０とを組み合わせた。よって、日射量の変動と関係なく、システムが全条件に対して成立する冷凍サイクル装置を提供できる。また、エジェクタ式冷媒回路１２０を循環する第２冷媒と蒸気圧縮式冷媒回路１１０を循環する第１冷媒とを過冷却器１１で熱交換させ、第１冷媒を過冷却するので、図３の説明で述べた効果を得ることができる。
【符号の説明】
【００４２】
１  蒸発器、２ａ，２ｂ  凝縮器、３，３ａ  発生器、４  冷媒ポンプ、５ａ，５ｂ  膨張機構、６  エジェクタ、６１  駆動流体の流入口、６２  エジェクタ吸引口、６３  エジェクタ出口、７  太陽光電熱ハイブリッドパネル、８  水ポンプ、９  圧縮機、１０  内部熱交換器、１１  過冷却器、２１，２２  冷媒、３１，３２  冷媒、４０  分岐部、４１  分岐流路、１００Ａ，１００Ｂ，１００Ｃ，２００Ｃ  複合冷媒回路、１１０  蒸気圧縮式冷媒回路、１２０  エジェクタ式冷媒回路。
【図１】
2011133123.tif 000003
【図２】
2011133123.tif 000004
【図３】
2011133123.tif 000005
【図４】
2011133123.tif 000006
【図５】
2011133123.tif 000007
【図６】
2011133123.tif 000008
【図７】
2011133123.tif 000009